(57)【要約】      （修正有）【課題】デッドスペースの発生を抑制することができるキッチン設備の安全装置を提供する。【解決手段】キッチン設備の安全装置２０は、ワークトップ１１と、ワークトップの下に配されるフロアユニット１２と、ワークトップに配されるコンロ１３と、を備えるキッチン設備１０に適用される。安全装置は、コンロの前側に配され、フロアユニット内に収納される収納位置と、ワークトップから突出する突出位置と、の間を移動機構４０により移動可能とされる隔壁部材３０を有している。【選択図】図１
0003217352.tif 000002
【実用新案登録請求の範囲】
【請求項１】
ワークトップと、前記ワークトップの下に配されるフロアユニットと、前記ワークトップに配されるコンロと、を備えるキッチン設備の安全装置であって、
前記コンロの前側に配され、前記フロアユニット内に収納される収納位置と、前記ワークトップから突出する突出位置と、の間を移動機構により移動可能とされる隔壁部材を有していることを特徴とするキッチン設備の安全装置。
【請求項２】
前記ワークトップには、前記隔壁部材を出入り可能とする開口部が設けられ、前記開口部には、前記開口部を開閉可能とする開閉部材が配設されていることを特徴とする請求項１記載のキッチン設備の安全装置。
【請求項３】
前記開閉部材が、前記隔壁部材の前側において、前記ワークトップに対して左右方向を軸として回動可能に取り付けられ、前記隔壁部材の移動により、前記開口部を開閉可能に形成されていることを特徴とする請求項２記載のキッチン設備の安全装置。
【請求項４】
前記隔壁部材が、耐熱ガラスで形成されていることを特徴とする請求項１、２又は３記載のキッチン設備の安全装置。
【考案の詳細な説明】
【技術分野】
【０００１】
本考案は、コンロを有するキッチン設備の安全装置に関する。
【背景技術】
【０００２】
従来のキッチン設備の目隠し装置（キッチン設備の安全装置）として、特許文献１に記載されるものがあった。これによれば、キッチンには、コンロを有するキッチン設備が設置されていた。キッチンには、キッチン設備を目隠しする目隠し状態と、キッチン設備を目隠しせずに露出させる露出状態とに移行可能な目隠し扉が設けられていた。
【先行技術文献】
【特許文献】
【０００３】
【特許文献１】特開２０１７−１５３６５７号公報
【考案の概要】
【考案が解決しようとする課題】
【０００４】
しかし、上記のキッチン設備の目隠し装置（キッチン設備の安全装置）では、露出状態では、目隠し扉の後側に大きなデッドスペースが発生するという問題があった。
【０００５】
本考案は、上記事情に鑑み、デッドスペースの発生を抑制することができるキッチン設備の安全装置を提供するものである。
【課題を解決するための手段】
【０００６】
請求項１記載の考案では、ワークトップと、前記ワークトップの下に配されるフロアユニットと、前記ワークトップに配されるコンロと、を備えるキッチン設備の安全装置であって、
前記コンロの前側に配され、前記フロアユニット内に収納される収納位置と、前記ワークトップから突出する突出位置と、の間を移動機構により移動可能とされる隔壁部材を有している。
【０００７】
これによれば、使用しないときには、隔壁部材をフロアユニット内に収納でき、ワークトップでの作業を妨げないので、デッドスペースの発生を抑制することができる。さらに、ワークトップから隔壁部材を突出させることで、子供、老人等が鍋、プライパン等の調理器具に触れることを防止して安全を確保することができる。
【０００８】
また、前記ワークトップには、前記隔壁部材を出入り可能とする開口部が設けられ、前記開口部には、前記開口部を開閉可能とする開閉部材が配設されている。
【０００９】
これによれば、開閉部材により、開口部から塵芥、油等が進入してフロアユニット内が汚れることを抑制することができる。
【００１０】
また、前記開閉部材が、前記隔壁部材の前側において、前記ワークトップに対して左右方向を軸として回動可能に取り付けられ、前記隔壁部材の移動により、前記開口部を開閉可能に形成されている。
【００１１】
これによれば、隔壁部材の移動により、開閉部材を回動させて開口部を開閉可能することで、開閉部材を駆動する駆動手段を無くすことができ、設置スペースを少なくすることが可能となる。
【００１２】
また、前記隔壁部材を、耐熱ガラスで形成すれば、隔壁部材が突出位置にあるときに、熱による破損を防止するとともに、隔壁部材の後側を視認することができる。
【図面の簡単な説明】
【００１３】
【図１】本考案の一実施形態におけるキッチン設備の安全装置の使用状態を示す斜視図である。
【図２】同実施形態のキッチン設備の安全装置の使用状態を示す平面図である。
【図３】図３の部分拡大図である。
【図４】同実施形態の移動機構の分解斜視図である。
【図５】隔壁部材が突出位置にあるときの移動機構の説明図である。
【図６】隔壁部材が収納位置にあるときの移動機構の説明図である。
【図７】安全装置の取付状態を示す側断面図である。
【図８】図７の部分拡大断面図である。
【図９】開閉部材の取り付け態様を示す図である。
【考案を実施するための形態】
【００１４】
本考案のキッチン設備の安全装置の一実施形態について図面に基づいて説明する。以下の説明では、各図面に付される矢印の、Ｆを前、Ｂを後ろ、Ｒを右、Ｌを左、Ｕを上、Ｄを下、方向とする。
【００１５】
キッチン設備の安全装置２０（以下、安全装置２０とする）は、概略的には、図１、２に示すように、ワークトップ１１と、ワークトップ１１の下に配されるフロアユニット１２と、ワークトップ１１に配されるコンロ１３と、を備えるビルトイン式のキッチン設備１０に適用されるものである。
【００１６】
安全装置２０は、図１〜４等に示すように、隔壁部材３０と、移動機構４０と、を有している。
【００１７】
隔壁部材３０は、図３、４、７、８等に示すように、耐熱ガラス３１と、保持スライド部材３２と、ガラス押さえ部材３５とを有している。
【００１８】
耐熱ガラス３１（ＪＩＳ  Ｒ  ３２２３）は、略矩形状に形成され、本実施形態では、厚さ６ミリメートルのものが用いられている。
【００１９】
保持スライド部材３２は、金属製で、上下方向からみて、一対の側壁と側壁の後端部どうしを連結する後壁とを有した略コの字状に形成されている。
【００２０】
保持スライド部材３２の下部前面には、移動機構４０を構成するスライドレール３４が取り付けられている。スライドレール３４は、リップ溝形鋼が用いられ、リップを有する側を前側にするとともに、長手方向を左右方向に沿わせて取り付けられている。
【００２１】
ガラス押さえ部材３５は、金属製で、左右方向の長さが保持スライド部材３２より若干短く、上下方向の長さが保持スライド部材３２の略半分程度の長さの略矩形状に形成されている。
【００２２】
耐熱ガラス３１の下端部の、後面、及び、左右の端面を、保持スライド部材３２のスライドレール３４より上側の、後壁の前面、及び、一対の側壁の内側となる面、にそれぞれ対向させて配置し、ガラス押さえ部材３５で挟み込んで、ガラス押さえ部材３５、耐熱ガラス３１、保持スライド部材３２を、前後方向において、ねじ部材３３によりねじ止されて隔壁部材３０が構成されている。
【００２３】
移動機構４０は、図４〜８等に示すように、スライドガイド部材５０と、開閉部材６０と、前面カバー７０と、モータ８０と、ギアアーム９０と、スライドアーム１００と、上述したスライドレール３４と、で構成されている。
【００２４】
スライドガイド部材５０は、金属製で矩形平板状に形成され、上下方向からみて、左右方向における端部側が閉塞する略コの字状に形成されたガイド部５１を二つ有している。
【００２５】
ガイド部５１の前壁には、略コの字状に形成された取付ブラケット５２が、それぞれ二つずつ取り付けられている。左側のガイド部５１の左壁、右側のガイド部５１の右壁、の上端部には軸支片５３が、ガイド部５１から前側に突出するようにそれぞれ取り付けられている。
【００２６】
開閉部材６０は、金属製で、矩形平板状に形成された蓋部６１と、蓋部６１の左右方向の端部に下側に突出する軸支部６２と、を有している。開閉部材６０は、左右方向において、軸支片５３と軸支部６２とが重ね合わせて配置され、左右方向を軸として、軸支片５３に対して回動可能に取り付けられている。本実施形態では、隔壁部材３０の前側で、開閉部材６０は軸支されている。
【００２７】
前面カバー７０は、金属製で、後側が開口した箱状に形成されている。前面カバー７０は、取付ブラケット５２を介してスライドガイド部材５０の前側を覆うように取り付けられている。
【００２８】
モータ８０は、駆動軸８１を回動軸が前後方向となるようにスライドガイド部材５０を挿通させて、スライドガイド部材５０の後面に取り付けられている。駆動軸８１の前端部には駆動ギア８２が取り付けられている。モータ８０は、図示しない、電源、オンオフスイッチ等を有する操作装置に接続されている。
【００２９】
ギアアーム９０は、金属製で長尺状に形成されている。ギアアーム９０は、スライドガイド部材５０の前側で、前後方向を軸として回動可能に取り付けられている。
【００３０】
ギアアーム９０のモータ８０側に配置される端部には、駆動ギア８２の駆動力を伝達可能な従動ギア部９１が配設されている。
【００３１】
ギアアーム９０の隔壁部材３０側に配置される端部には、円柱状の首部９３と、首部９３より大径に形成された頭部９４と、を有した後スライドピン９２が後方に突出するように配設されている。
【００３２】
ギアアーム９０の回動軸と後スライドピン９２との間には、円柱状の首部９６と、首部９６より大径に形成された頭部９７と、を有した前スライドピン９５が、前方に突出するように配設されている。
【００３３】
スライドアーム１００は、金属製で長尺状に形成されている。スライドアーム１００は、スライドガイド部材５０の前側で、前後方向を軸として回動可能に取り付けられている。
【００３４】
スライドアーム１００の隔壁部材３０側に配置される端部には、円柱状の首部１０３と、首部１０３より大径に形成された頭部１０４と、を有した後スライドピン１０２が、後方に突出するように配設されている。
【００３５】
スライドアーム１００の回動軸と後スライドピン１０２との間には、前面から後面に貫通する貫通溝として形成されたスライド溝１０１が配設されている。
【００３６】
スライド溝１０１に前スライドピン９５の首部９６を挿通させ頭部９７を前側に配置させるとともに、後スライドピン９２の首部９３、後スライドピン１０２の首部１０３をスライドレール３４のリップの間を挿通させ、後スライドピン９２の頭部９４と、後スライドピン１０２の頭部１０４と、をスライドレール３４内に配置させ、さらに、駆動ギア８２と従動ギア部９１とが噛み合うように組み付けることにより、リンク式の移動機構４０が構成される。
【００３７】
ギアアーム９０及びスライドアーム１００は、前面カバー７０とスライドガイド部材５０との間の空間部分に配置されることになる。
【００３８】
安全装置２０は、図３、４、７、８等に示すように、取付フレーム１１０を介して、フロアユニット１２内に取り付けられている。
【００３９】
詳説すれば、取付フレーム１１０は、図３、７に示すように、金属製の、一対の縦柱１１１と、縦柱１１１を連結する三つの横柱１１２と、を有して梯子状に形成されている。取付フレーム１１０は、縦柱１１１において、フロアユニット１２の側壁にねじ止め等されて取り付けられている。安全装置２０は、スライドガイド部材５０の後面において、横柱１１２の前面にねじ止め等されて取り付けられている。
【００４０】
キッチン設備１０の安全装置２０を使用態様について説明する。
【００４１】
安全装置２０は、図５に示す隔壁部材３０が突出位置にある状態から、モータ８０が駆動し駆動ギア８２が、前側からみて時計周りに回転すると、従動ギア部９１に駆動力が伝達し、ギアアーム９０が、前側からみて半時計周りに回転する。このとき、前スライドピン９５が、スライド溝１０１内を左側に移動することにより、スライドアーム１００が前側からみて時計回りに回転する。そして、後スライドピン９２が、スライドレール３４に沿って左側に、後スライドピン１０２がスライドレール３４に沿って右側に移動する。以上の動作により、隔壁部材３０は、ガイド部５１に前後方向への移動を規制されながら下に下がり、図６に示す収納位置まで移動することになる。
【００４２】
隔壁部材３０が、収納位置にあるときには、ワークトップ１１でコンロ１３を使用して調理作業をするような場合に、調理作業の妨げとならない。
【００４３】
隔壁部材３０を突出位置に移動させる場合には、駆動ギア８２を前側からみて反時計周りに回転させることで、ギアアーム９０が、前側からみて時計周りに回転する。このとき、前スライドピン９５が、スライド溝１０１内を右側に移動することにより、スライドアーム１００が前側からみて反時計回りに回転する。そして、後スライドピン９２が、スライドレール３４に沿って右側に、後スライドピン１０２がスライドレール３４に沿って左側に移動する。以上の動作により、隔壁部材３０は、ガイド部５１に前後方向への移動を規制されながら上に上がり、図５に示す突出位置まで移動することになる。
【００４４】
隔壁部材３０が、突出位置にあるときには、コンロ１３を使用しないで鍋、フライパン等をコンロ１３に乗せておく場合、コンロ１３を使用して弱火で長時間加熱調理をする場合に、子供、老人等が鍋、フライパン等の調理器具に触れることを防止することができる。
【００４５】
また、図７の二点鎖線に示すように、隔壁部材３０が収納位置にあるときには、ワークトップ１１の開口部１１ａの後側に設けられた、段差部１１ｂに開閉部材６０の蓋部６１の後端部が乗った状態にある。隔壁部材３０が、収納位置から突出位置に移動するときに、図９に示すように、耐熱ガラス３１の上端部が開閉部材６０の蓋部６１の下面に当接し、開閉部材６０を持ち上げる。開閉部材６０は、隔壁部材３０の前側で軸支されて、耐熱ガラス３１の前面にもたれかかるように配置されていることに加え、軸支片５３の前端がストッパとして機能するので、開閉部材６０が裏返し状態になることはない。
【００４６】
隔壁部材３０が、突出位置から収納位置に移動するときに、開閉部材６０が耐熱ガラス３１の前面にもたれかかった状態から、蓋部６１の下面に当接した状態となり、耐熱ガラス３１との当接が解除されて、ワークトップ１１の開口部１１ａを閉じた状態となる。
【００４７】
上記構成のキッチン設備の安全装置２０では、ワークトップ１１と、ワークトップ１１の下に配されるフロアユニット１２と、ワークトップ１１に配されるコンロ１３と、を備えるキッチン設備１０の安全装置であって、
コンロ１３の前側に配され、フロアユニット１２内に収納される収納位置と、ワークトップ１１から突出する突出位置と、の間を移動機構４０により移動可能とされる隔壁部材３０を有している。
【００４８】
これによれば、使用しないときには、隔壁部材３０をフロアユニット１２内に収納でき、ワークトップ１１での作業を妨げないので、デッドスペースの発生を抑制することができる。さらに、ワークトップ１１から隔壁部材３０を突出させることで、子供、老人等が鍋、プライパン等の調理器具に触れることを防止して安全を確保することができる。
【００４９】
また、ワークトップ１１には、隔壁部材３０を出入り可能とする開口部１１ａが設けられ、開口部１１ａには、開口部１１ａを開閉可能とする開閉部材６０が配設されている。
【００５０】
これによれば、開閉部材６０により、開口部１１ａから塵芥、油等が進入してフロアユニット１２内が汚れることを抑制することができる。
【００５１】
また、開閉部材６０が、隔壁部材３０の前側において、ワークトップ１１に対して左右方向を軸として回動可能に取り付けられ、隔壁部材３０の移動により、開口部１１ａを開閉可能に形成されている。
【００５２】
これによれば、隔壁部材３０の移動により、開閉部材６０を回動させて開口部１１ａを開閉可能することで、開閉部材６０を駆動する駆動手段を無くすことができ、設置スペースを少なくすることが可能となる。
【００５３】
また、隔壁部材３０を、耐熱ガラス３１で形成しているので、隔壁部材３０が突出位置にあるときに、熱による破損を防止するとともに、隔壁部材３０の後側を視認することができる。
【００５４】
本考案のキッチン設備の安全装置は上記構成に限定されるものではない。即ち、本考案の要旨を逸脱しない限り各種の設計変更等が可能である。
【００５５】
例えば、移動機構４０は、モータ８０の駆動によるリンク式の昇降装置を適用したが、隔壁部材３０を移動させることができるのであれば、既存の、ボールねじ機構を備えた多段式昇降装置、ラック、ピニオンを備えた昇降装置等を適用することも可能である。
【００５６】
また、開閉部材６０に、弾性部材を開閉部材６０が閉じる方向に付勢するように配設して、自動的に閉じる構成とすることもできる。
【符号の説明】
【００５７】
１０  キッチン設備
１１  ワークトップ
１１ａ  開口部
１２  フロアユニット
１３  コンロ
２０  安全装置
３０  隔壁部材
３１  耐熱ガラス
４０  移動機構
６０  開閉部材
【図１】
0003217352.tif 000003
【図２】
0003217352.tif 000004
【図３】
0003217352.tif 000005
【図４】
0003217352.tif 000006
【図５】
0003217352.tif 000007
【図６】
0003217352.tif 000008
【図７】
0003217352.tif 000009
【図８】
0003217352.tif 000010
【図９】
0003217352.tif 000011